(57)【要約】【課題】ＬＵＴの作成における工程の順序関係の錯誤を防止する。【解決手段】参照テーブル（ＬＵＴ）の作成手順ごとに対応づけて、作成手順が完了しているか否かを示す完了識別情報および作成手順よりも前に行われるべき作成手順である前手順を記録する作成手順記録部２０２と、作成手順の内の作業対象とする作業対象手順の入力を受ける作業対象手順入力部２０４と、作成手順記録部２０２における記録内容を参照して、作業対象手順の前手順が完了しているか否かに基づき、作業対象手順の実行を許可するか否かを判断する作業可否判断部２０６を備える。【選択図】      図２
2004179869.tif 000002
【特許請求の範囲】
【請求項１】
参照テーブル（ＬＵＴ）の作成手順ごとに対応づけて、該作成手順が完了しているか否かを示す完了識別情報および該作成手順よりも前に行われるべき作成手順である前手順を記録する作成手順記録工程と、
前記作成手順の内の作業対象とする作業対象手順の入力を受ける作業対象手順入力工程と、
前記作成手順記録工程における記録内容を参照して、前記作業対象手順の前記前手順が完了しているか否かに基づき、前記作業対象手順の実行を許可するか否かを判断する作業可否判断工程と、
を備えている参照テーブル作成手順管理方法。
【請求項２】
請求項１に記載の参照テーブル作成手順管理方法であって、
前記前手順は前記作成手順の直前に行われるべき作成手順である参照テーブル作成手順管理方法。
【請求項３】
請求項１に記載の参照テーブル作成手順管理方法であって、
前記作業可否判断工程において前記作業対象手順の前記前手順が完了している場合にのみ前記作業対象手順の実行が許可される参照テーブル作成手順管理方法。
【請求項４】
請求項１に記載の参照テーブル作成手順管理方法であって、
前記作成手順を前記前手順がわかるようにして表示した表示画面を生成する作成手順表示画面生成工程、
を備えている参照テーブル作成手順管理方法。
【請求項５】
請求項１に記載の参照テーブル作成手順管理方法であって、
前記作成手順の前記完了識別情報が表示された表示画面を生成する完了識別情報表示画面生成工程、
を備えている参照テーブル作成手順管理方法。
【請求項６】
請求項１に記載の参照テーブル作成手順管理方法であって、
前記参照テーブルは、
黒インクの発生の仕方を決定するＫ発生作成手順を作成の際に要する基準参照テーブルと、
前記Ｋ発生作成手順による決定内容を流用して作成される派生参照テーブルと、
を有する参照テーブル作成手順管理方法。
【請求項７】
請求項１に記載の参照テーブル作成手順管理方法であって、
前記作成手順記録工程により記録された作成手順には、モノクロテーブル作成および派生ＬＵＴ作成があり、両者の前手順としてベースＬＵＴ作成がある、
参照テーブル作成手順管理方法。
【請求項８】
参照テーブル（ＬＵＴ）の作成手順ごとに対応づけて、該作成手順が完了しているか否かを示す完了識別情報および該作成手順よりも前に行われるべき作成手順である前手順を記録する作成手順記録工程と、
前記作成手順の表示体を前記前手順の表示体と矢印で結合して表示した表示画面を生成する作成手順表示画面生成工程と、
前記作成手順の内の作業対象とする作業対象手順の入力を受ける作業対象手順入力工程と、
前記作成手順記録工程における記録内容を参照して、前記作業対象手順の前記前手順が完了しているか否かに基づき、前記作業対象手順の実行を許可するか否かを判断する作業可否判断工程と、
を備えている参照テーブル作成手順管理方法。
【請求項９】
請求項８に記載の参照テーブル作成手順管理方法であって、
前記作成手順表示画面生成工程において、前記作成手順の内で実行することが任意である任意手順の表示体を、前記作成手順の内の実行が必須である必須手順の表示体とは結合した表示を行わない、
参照テーブル作成手順管理方法。
【請求項１０】
請求項９に記載の参照テーブル作成手順管理方法であって、
前記任意手順を前記前手順とする前記必須手順が、該任意手順よりも前に行われた場合は、前記任意手順において初期設定値が設定されたとする、
参照テーブル作成手順管理方法。
【請求項１１】
参照テーブル（ＬＵＴ）の作成手順ごとに対応づけて、該作成手順が完了しているか否かを示す完了識別情報および該作成手順よりも前に行われるべき作成手順である前手順を記録する作成手順記録工程と、
前記作成手順の前記完了識別情報である前記作成手順の作業者を特定する情報が表示された表示画面を生成する完了識別情報表示画面生成工程と、
前記作成手順の内の作業対象とする作業対象手順の入力を受ける作業対象手順入力工程と、
前記作成手順記録工程における記録内容を参照して、前記作業対象手順の前記前手順が完了しているか否かに基づき、前記作業対象手順の実行を許可するか否かを判断する作業可否判断工程と、
を備えている参照テーブル作成手順管理方法。
【請求項１２】
参照テーブル（ＬＵＴ）の作成手順ごとに対応づけて、該作成手順が完了しているか否かを示す完了識別情報および該作成手順よりも前に行われるべき作成手順である前手順を記録する作成手順記録工程と、
前記作成手順を前記前手順がわかるようにして表示した表示画面を生成する作成手順表示画面生成工程と、
前記作成手順の内の作業対象とする作業対象手順の入力を受ける作業対象手順入力工程と、
前記作成手順記録工程における記録内容を参照して、前記作業対象手順の前記前手順が完了しているか否かに基づき、前記作業対象手順の実行を許可するか否かを判断する作業可否判断工程と、
を備え、
前記参照テーブルは、
黒インクの発生の仕方を決定するＫ発生作成手順を作成の際に要する基準参照テーブルと、
前記Ｋ発生作成手順による決定内容を流用して作成される派生参照テーブルと、
を有し、
前記作成手順表示画面生成工程において、前記基準参照テーブルの作成に利用される基準作成手順の表示体と、前記派生参照テーブルの作成に利用される派生作成手順の表示体とを異なった列または行に配置する、
参照テーブル作成手順管理方法。
【請求項１３】
請求項１２に記載の参照テーブル作成手順管理方法であって、
前記作成手順表示画面生成工程において、前記基準参照テーブルの作成および前記派生参照テーブルの作成の双方に共通する共通作成手順の表示体を、前記基準作成手順の表示体および前記派生作成手順の表示体の配置された列または行の間に配置する、
参照テーブル作成手順管理方法。
【請求項１４】
参照テーブル（ＬＵＴ）の作成手順ごとに対応づけて、該作成手順が完了しているか否かを示す完了識別情報および該作成手順よりも前に行われるべき作成手順である前手順を記録する作成手順記録手段と、
前記作成手順の内の作業対象とする作業対象手順の入力を受ける作業対象手順入力手段と、
前記作成手順記録手段における記録内容を参照して、前記作業対象手順の前記前手順が完了しているか否かに基づき、前記作業対象手順の実行を許可するか否かを判断する作業可否判断手段と、
を備えている参照テーブル作成手順管理装置。
【請求項１５】
参照テーブル（ＬＵＴ）の作成手順ごとに対応づけて、該作成手順が完了しているか否かを示す完了識別情報および該作成手順よりも前に行われるべき作成手順である前手順を記録する作成手順記録手段と、
前記作成手順の表示体を前記前手順の表示体と矢印で結合して表示した表示画面を生成する作成手順表示画面生成手段と、
前記作成手順の内の作業対象とする作業対象手順の入力を受ける作業対象手順入力手段と、
前記作成手順記録手段における記録内容を参照して、前記作業対象手順の前記前手順が完了しているか否かに基づき、前記作業対象手順の実行を許可するか否かを判断する作業可否判断手段と、
を備えている参照テーブル作成手順管理装置。
【請求項１６】
参照テーブル（ＬＵＴ）の作成手順ごとに対応づけて、該作成手順が完了しているか否かを示す完了識別情報および該作成手順よりも前に行われるべき作成手順である前手順を記録する作成手順記録手段と、
前記作成手順の前記完了識別情報である前記作成手順の作業者を特定する情報が表示された表示画面を生成する完了識別情報表示画面生成手段と、
前記作成手順の内の作業対象とする作業対象手順の入力を受ける作業対象手順入力手段と、
前記作成手順記録手段における記録内容を参照して、前記作業対象手順の前記前手順が完了しているか否かに基づき、前記作業対象手順の実行を許可するか否かを判断する作業可否判断手段と、
を備えている参照テーブル作成手順管理装置。
【請求項１７】
参照テーブル（ＬＵＴ）の作成手順ごとに対応づけて、該作成手順が完了しているか否かを示す完了識別情報および該作成手順よりも前に行われるべき作成手順である前手順を記録する作成手順記録手段と、
前記作成手順を前記前手順がわかるようにして表示した表示画面を生成する作成手順表示画面生成手段と、
前記作成手順の内の作業対象とする作業対象手順の入力を受ける作業対象手順入力手段と、
前記作成手順記録手段における記録内容を参照して、前記作業対象手順の前記前手順が完了しているか否かに基づき、前記作業対象手順の実行を許可するか否かを判断する作業可否判断手段と、
を備え、
前記参照テーブルは、
黒インクの発生の仕方を決定するＫ発生作成手順を作成の際に要する基準参照テーブルと、
前記Ｋ発生作成手順による決定内容を流用して作成される派生参照テーブルと、
を有し、
前記作成手順表示画面生成手段は、前記基準参照テーブルの作成に利用される基準作成手順の表示体と、前記派生参照テーブルの作成に利用される派生作成手順の表示体とを異なった列または行に配置する、
参照テーブル作成手順管理装置。
【請求項１８】
参照テーブル（ＬＵＴ）の作成手順ごとに対応づけて、該作成手順が完了しているか否かを示す完了識別情報および該作成手順よりも前に行われるべき作成手順である前手順を記録する作成手順記録処理と、
前記作成手順の内の作業対象とする作業対象手順の入力を受ける作業対象手順入力処理と、
前記作成手順記録処理における記録内容を参照して、前記作業対象手順の前記前手順が完了しているか否かに基づき、前記作業対象手順の実行を許可するか否かを判断する作業可否判断処理と、
をコンピュータに実行させるためのプログラム。
【請求項１９】
参照テーブル（ＬＵＴ）の作成手順ごとに対応づけて、該作成手順が完了しているか否かを示す完了識別情報および該作成手順よりも前に行われるべき作成手順である前手順を記録する作成手順記録処理と、
前記作成手順の表示体を前記前手順の表示体と矢印で結合して表示した表示画面を生成する作成手順表示画面生成処理と、
前記作成手順の内の作業対象とする作業対象手順の入力を受ける作業対象手順入力処理と、
前記作成手順記録処理における記録内容を参照して、前記作業対象手順の前記前手順が完了しているか否かに基づき、前記作業対象手順の実行を許可するか否かを判断する作業可否判断処理と、
をコンピュータに実行させるためのプログラム。
【請求項２０】
参照テーブル（ＬＵＴ）の作成手順ごとに対応づけて、該作成手順が完了しているか否かを示す完了識別情報および該作成手順よりも前に行われるべき作成手順である前手順を記録する作成手順記録処理と、
前記作成手順の前記完了識別情報である前記作成手順の作業者を特定する情報が表示された表示画面を生成する完了識別情報表示画面生成処理と、
前記作成手順の内の作業対象とする作業対象手順の入力を受ける作業対象手順入力処理と、
前記作成手順記録処理における記録内容を参照して、前記作業対象手順の前記前手順が完了しているか否かに基づき、前記作業対象手順の実行を許可するか否かを判断する作業可否判断処理と、
をコンピュータに実行させるためのプログラム。
【請求項２１】
参照テーブル（ＬＵＴ）の作成手順ごとに対応づけて、該作成手順が完了しているか否かを示す完了識別情報および該作成手順よりも前に行われるべき作成手順である前手順を記録する作成手順記録処理と、
前記作成手順を前記前手順がわかるようにして表示した表示画面を生成する作成手順表示画面生成処理と、
前記作成手順の内の作業対象とする作業対象手順の入力を受ける作業対象手順入力処理と、
前記作成手順記録処理における記録内容を参照して、前記作業対象手順の前記前手順が完了しているか否かに基づき、前記作業対象手順の実行を許可するか否かを判断する作業可否判断処理と、
をコンピュータに実行させるためのプログラムであって、
前記参照テーブルは、
黒インクの発生の仕方を決定するＫ発生作成手順を作成の際に要する基準参照テーブルと、
前記Ｋ発生作成手順による決定内容を流用して作成される派生参照テーブルと、
を有し、
前記作成手順表示画面生成処理において、前記基準参照テーブルの作成に利用される基準作成手順の表示体と、前記派生参照テーブルの作成に利用される派生作成手順の表示体とを異なった列または行に配置する、
コンピュータに実行させるためのプログラム。
【請求項２２】
請求項１８ないし２１のいずれか一項に記載のプログラムを記録したコンピュータによって読取可能な記録媒体。
【発明の詳細な説明】
【０００１】
【発明の属する技術分野】
本発明は、カラープリンタ等の周辺機器に色データを送る際の色補正に使用するＬＵＴ（Ｌｏｏｋ  Ｕｐ  Ｔａｂｌｅ：参照テーブル）の作成手順の管理に関する。
【０００２】
【従来の技術】
従来より、パーソナルコンピュータからカラープリンタに色データを送ってカラー印刷を行なうことが行なわれている。その際、まず、パーソナルコンピュータはＲＧＢデータを生成する。ＲＧＢデータは、ＬＵＴ（Ｌｏｏｋ  Ｕｐ  Ｔａｂｌｅ：参照テーブル）に基づきＣＭＹＫデータに変換される。ＣＭＹＫデータは、カラープリンタに応じた処理が施されカラープリンタに送られる。
【０００３】
ここで、ＬＵＴを、カラープリンタが印刷を行なう紙等の印刷対象（メディア）、解像度ごとに作成する必要がある。また、特許文献１（段落番号０００５参照）にも、ＬＵＴをメディアおよび印字モード毎に用意する必要がある旨の記載がある。
【０００４】
【特許文献１】
特開２００２−２２３３６７号公報（段落番号０００５）
【発明が解決しようとする課題】
しかしながら、ＬＵＴの作成にあたっては、複数の工程を行う必要がある。こららの複数の工程には複雑な順序関係があり、ある工程Ａを行って初めて工程Ｂ，Ｃ，Ｄを行うことが可能になるといったことがある。この順序関係は複雑であるため順序関係を誤りやすく、例えば工程Ａを行う前に工程Ｂを行ってしまうという錯誤が後を絶たない。このような錯誤が発生すると、工程Ａを行ってから、工程Ｂをやりなおさなければならない。
【０００５】
しかも、ＬＵＴをメディアおよび解像度ごとに作成する必要があるので、上記のような順序関係に関する錯誤は、メディアおよび解像度ごとに発生することになる。よって、順序関係に関する錯誤が多発することになり、ＬＵＴの作成管理上、重要な問題となる。
【０００６】
そこで、本発明は、上記問題点を解決するためになされたもので、ＬＵＴの作成における工程の順序関係の錯誤を防止することを課題とする。
【０００７】
【課題を解決するための手段】
上記課題に鑑み、請求項１に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録工程と、作成手順の内の作業対象とする作業対象手順の入力を受ける作業対象手順入力工程と、作成手順記録工程における記録内容を参照して、作業対象手順の前手順が完了しているか否かに基づき、作業対象手順の実行を許可するか否かを判断する作業可否判断工程とを備えているように構成される。
【０００８】
以上のように構成された参照テーブル作成手順管理方法によれば、作成手順記録工程は、参照テーブル（ＬＵＴ）の作成手順ごとに対応づけて、作成手順が完了しているか否かを示す完了識別情報および作成手順よりも前に行われるべき作成手順である前手順を記録する。作業対象手順入力工程は、作成手順の内の作業対象とする作業対象手順の入力を受ける。作業可否判断工程は、作成手順記録工程における記録内容を参照して、作業対象手順の前手順が完了しているか否かに基づき、作業対象手順の実行を許可するか否かを判断する。
【０００９】
上記課題に鑑み、請求項２に記載の発明は、請求項１に記載の発明であって、前手順は作成手順の直前に行われるべき作成手順であるように構成される。
【００１０】
上記課題に鑑み、請求項３に記載の発明は、請求項１に記載の発明であって、作業可否判断工程において作業対象手順の前手順が完了している場合にのみ作業対象手順の実行が許可されるように構成される。
【００１１】
上記課題に鑑み、請求項４に記載の発明は、請求項１に記載の発明であって、作成手順を前手順がわかるようにして表示した表示画面を生成する作成手順表示画面生成工程を備えているように構成される。
【００１２】
上記課題に鑑み、請求項５に記載の発明は、請求項１に記載の発明であって、作成手順の完了識別情報が表示された表示画面を生成する完了識別情報表示画面生成工程を備えているように構成される。
【００１３】
上記課題に鑑み、請求項６に記載の発明は、請求項１に記載の発明であって、参照テーブルは、黒インクの発生の仕方を決定するＫ発生作成手順を作成の際に要する基準参照テーブルと、Ｋ発生作成手順による決定内容を流用して作成される派生参照テーブルとを有するように構成される。
【００１４】
上記課題に鑑み、請求項７に記載の発明は、請求項１に記載の発明であって、作成手順記録工程により記録された作成手順には、モノクロテーブル作成および派生ＬＵＴ作成があり、両者の前手順としてベースＬＵＴ作成があるように構成される。
【００１５】
上記課題に鑑み、請求項８に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録工程と、作成手順の表示体を前手順の表示体と矢印で結合して表示した表示画面を生成する作成手順表示画面生成工程と、作成手順の内の作業対象とする作業対象手順の入力を受ける作業対象手順入力工程と、作成手順記録工程における記録内容を参照して、作業対象手順の前手順が完了しているか否かに基づき、作業対象手順の実行を許可するか否かを判断する作業可否判断工程とを備えているように構成される。
【００１６】
以上のように構成された参照テーブル作成手順管理方法によれば、作成手順記録工程は、参照テーブル（ＬＵＴ）の作成手順ごとに対応づけて、作成手順が完了しているか否かを示す完了識別情報および作成手順よりも前に行われるべき作成手順である前手順を記録する。作成手順表示画面生成工程は、作成手順の表示体を前手順の表示体と矢印で結合して表示した表示画面を生成する。作業対象手順入力工程は、作成手順の内の作業対象とする作業対象手順の入力を受ける。作業可否判断工程は、作成手順記録工程における記録内容を参照して、作業対象手順の前手順が完了しているか否かに基づき、作業対象手順の実行を許可するか否かを判断する。
【００１７】
上記課題に鑑み、請求項９に記載の発明は、請求項８に記載の発明であって、作成手順表示画面生成工程において、作成手順の内で実行することが任意である任意手順の表示体を、作成手順の内の実行が必須である必須手順の表示体とは結合した表示を行わないように構成される。
【００１８】
上記課題に鑑み、請求項１０に記載の発明は、請求項９に記載の発明であって、任意手順を前手順とする必須手順が、任意手順よりも前に行われた場合は、任意手順において初期設定値が設定されたとするように構成される。
【００１９】
上記課題に鑑み、請求項１１に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録工程と、作成手順の完了識別情報である作成手順の作業者を特定する情報が表示された表示画面を生成する完了識別情報表示画面生成工程と、作成手順の内の作業対象とする作業対象手順の入力を受ける作業対象手順入力工程と、作成手順記録工程における記録内容を参照して、作業対象手順の前手順が完了しているか否かに基づき、作業対象手順の実行を許可するか否かを判断する作業可否判断工程とを備えているように構成される。
【００２０】
以上のように構成された参照テーブル作成手順管理方法によれば、作成手順記録工程は、参照テーブル（ＬＵＴ）の作成手順ごとに対応づけて、作成手順が完了しているか否かを示す完了識別情報および作成手順よりも前に行われるべき作成手順である前手順を記録する。完了識別情報表示画面生成工程は、作成手順の完了識別情報である作成手順の作業者を特定する情報が表示された表示画面を生成する。作業対象手順入力工程は、作成手順の内の作業対象とする作業対象手順の入力を受ける。作業可否判断工程は、作成手順記録工程における記録内容を参照して、作業対象手順の前手順が完了しているか否かに基づき、作業対象手順の実行を許可するか否かを判断する。
【００２１】
上記課題に鑑み、請求項１２に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録工程と、作成手順を前手順がわかるようにして表示した表示画面を生成する作成手順表示画面生成工程と、作成手順の内の作業対象とする作業対象手順の入力を受ける作業対象手順入力工程と、作成手順記録工程における記録内容を参照して、作業対象手順の前手順が完了しているか否かに基づき、作業対象手順の実行を許可するか否かを判断する作業可否判断工程とを備え、参照テーブルは、黒インクの発生の仕方を決定するＫ発生作成手順を作成の際に要する基準参照テーブルと、Ｋ発生作成手順による決定内容を流用して作成される派生参照テーブルとを有し、作成手順表示画面生成工程において、基準参照テーブルの作成に利用される基準作成手順の表示体と、派生参照テーブルの作成に利用される派生作成手順の表示体とを異なった列または行に配置するように構成される。
【００２２】
以上のように構成された参照テーブル作成手順管理方法によれば、作成手順記録工程は、参照テーブル（ＬＵＴ）の作成手順ごとに対応づけて、作成手順が完了しているか否かを示す完了識別情報および作成手順よりも前に行われるべき作成手順である前手順を記録する。作成手順表示画面生成工程は、作成手順を前手順がわかるようにして表示した表示画面を生成する。作業対象手順入力工程は、作成手順の内の作業対象とする作業対象手順の入力を受ける。作業可否判断工程は、作成手順記録工程における記録内容を参照して、作業対象手順の前手順が完了しているか否かに基づき、作業対象手順の実行を許可するか否かを判断する。しかも、参照テーブルは、黒インクの発生の仕方を決定するＫ発生作成手順を作成の際に要する基準参照テーブルと、Ｋ発生作成手順による決定内容を流用して作成される派生参照テーブルとを有する。さらに、作成手順表示画面生成工程において、基準参照テーブルの作成に利用される基準作成手順の表示体と、派生参照テーブルの作成に利用される派生作成手順の表示体とを異なった列または行に配置する。
【００２３】
上記課題に鑑み、請求項１３に記載の発明は、請求項１２に記載の発明であって、作成手順表示画面生成工程において、基準参照テーブルの作成および派生参照テーブルの作成の双方に共通する共通作成手順の表示体を、基準作成手順の表示体および派生作成手順の表示体の配置された列または行の間に配置するように構成される。
【００２４】
上記課題に鑑み、請求項１４に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録手段と、作成手順の内の作業対象とする作業対象手順の入力を受ける作業対象手順入力手段と、作成手順記録手段における記録内容を参照して、作業対象手順の前手順が完了しているか否かに基づき、作業対象手順の実行を許可するか否かを判断する作業可否判断手段とを備えているように構成される。
【００２５】
上記課題に鑑み、請求項１５に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録手段と、作成手順の表示体を前手順の表示体と矢印で結合して表示した表示画面を生成する作成手順表示画面生成手段と、作成手順の内の作業対象とする作業対象手順の入力を受ける作業対象手順入力手段と、作成手順記録手段における記録内容を参照して、作業対象手順の前手順が完了しているか否かに基づき、作業対象手順の実行を許可するか否かを判断する作業可否判断手段とを備えているように構成される。
【００２６】
上記課題に鑑み、請求項１６に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録手段と、作成手順の完了識別情報である作成手順の作業者を特定する情報が表示された表示画面を生成する完了識別情報表示画面生成手段と、作成手順の内の作業対象とする作業対象手順の入力を受ける作業対象手順入力手段と、作成手順記録手段における記録内容を参照して、作業対象手順の前手順が完了しているか否かに基づき、作業対象手順の実行を許可するか否かを判断する作業可否判断手段とを備えているように構成される。
【００２７】
上記課題に鑑み、請求項１７に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録手段と、作成手順を前手順がわかるようにして表示した表示画面を生成する作成手順表示画面生成手段と、作成手順の内の作業対象とする作業対象手順の入力を受ける作業対象手順入力手段と、作成手順記録手段における記録内容を参照して、作業対象手順の前手順が完了しているか否かに基づき、作業対象手順の実行を許可するか否かを判断する作業可否判断手段とを備え、参照テーブルは、黒インクの発生の仕方を決定するＫ発生作成手順を作成の際に要する基準参照テーブルと、Ｋ発生作成手順による決定内容を流用して作成される派生参照テーブルとを有し、作成手順表示画面生成手段は、基準参照テーブルの作成に利用される基準作成手順の表示体と、派生参照テーブルの作成に利用される派生作成手順の表示体とを異なった列または行に配置するように構成される。
【００２８】
上記課題に鑑み、請求項１８に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録処理と、作成手順の内の作業対象とする作業対象手順の入力を受ける作業対象手順入力処理と、作成手順記録処理における記録内容を参照して、作業対象手順の前手順が完了しているか否かに基づき、作業対象手順の実行を許可するか否かを判断する作業可否判断処理とをコンピュータに実行させるためのプログラムである。
【００２９】
上記課題に鑑み、請求項１９に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録処理と、作成手順の表示体を前手順の表示体と矢印で結合して表示した表示画面を生成する作成手順表示画面生成処理と、作成手順の内の作業対象とする作業対象手順の入力を受ける作業対象手順入力処理と、作成手順記録処理における記録内容を参照して、作業対象手順の前手順が完了しているか否かに基づき、作業対象手順の実行を許可するか否かを判断する作業可否判断処理とをコンピュータに実行させるためのプログラムである。
【００３０】
上記課題に鑑み、請求項２０に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録処理と、作成手順の完了識別情報である作成手順の作業者を特定する情報が表示された表示画面を生成する完了識別情報表示画面生成処理と、作成手順の内の作業対象とする作業対象手順の入力を受ける作業対象手順入力処理と、作成手順記録処理における記録内容を参照して、作業対象手順の前手順が完了しているか否かに基づき、作業対象手順の実行を許可するか否かを判断する作業可否判断処理とをコンピュータに実行させるためのプログラムである。
【００３１】
上記課題に鑑み、請求項２１に記載の発明は、参照テーブル（ＬＵＴ）の作成手順ごとに対応づけて、作成手順が完了しているか否かを示す完了識別情報および作成手順よりも前に行われるべき作成手順である前手順を記録する作成手順記録処理と、作成手順を前手順がわかるようにして表示した表示画面を生成する作成手順表示画面生成処理と、作成手順の内の作業対象とする作業対象手順の入力を受ける作業対象手順入力処理と、作成手順記録処理における記録内容を参照して、作業対象手順の前手順が完了しているか否かに基づき、作業対象手順の実行を許可するか否かを判断する作業可否判断処理とをコンピュータに実行させるためのプログラムであって、参照テーブルは、黒インクの発生の仕方を決定するＫ発生作成手順を作成の際に要する基準参照テーブルと、Ｋ発生作成手順による決定内容を流用して作成される派生参照テーブルとを有し、作成手順表示画面生成処理において、基準参照テーブルの作成に利用される基準作成手順の表示体と、派生参照テーブルの作成に利用される派生作成手順の表示体とを異なった列または行に配置するコンピュータに実行させるためのプログラムである。
【００３２】
上記課題に鑑み、請求項２２に記載の発明は、請求項１８ないし２１のいずれか一項に記載のプログラムを記録したコンピュータによって読取可能な記録媒体である。
【００３３】
【発明の実施の形態】
以下、本発明の実施形態を図面を参照して説明する。
【００３４】
図１は、参照テーブル作成手順管理装置２０を実現するハードウェアの一例であるコンピュータシステムのブロック図である。本コンピュータシステムは、画像入力デバイスとして、スキャナ１１ａとデジタルスチルカメラ１１ｂとビデオカメラ１１ｃとを備えており、コンピュータ本体１２に接続されている。それぞれの入力デバイスは画像をドットマトリクス状の画素で表現した画像データを生成してコンピュータ本体１２に出力可能となっており、ここで同画像データはＲＧＢの三原色においてそれぞれ２５６階調表示することにより、約１６７０万色を表現可能となっている。
【００３５】
コンピュータ本体１２には、外部補助記憶装置としてのフロッピーディスクドライブ１３ａとハードディスク１３ｂとＣＤ−ＲＯＭドライブ１３ｃとが接続されており、ハードディスク１３ｂにはシステム関連の主要プログラムが記録されており、フロッピーディスクやＣＤ−ＲＯＭなどから適宜必要なプログラムなどを読み込み可能となっている。また、コンピュータ本体１２を外部のネットワークなどに接続するための通信デバイスとしてモデム１４ａが接続されており、外部のネットワークに同公衆通信回線を介して接続し、ソフトウェアやデータをダウンロードして導入可能となっている。この例ではモデム１４ａにて電話回線を介して外部にアクセスするようにしているが、ＬＡＮアダプタを介してネットワークに対してアクセスする構成とすることも可能である。この他、コンピュータ本体１２の操作用にキーボード１５ａやマウス１５ｂも接続されている。
【００３６】
さらに、画像出力デバイスとして、ディスプレイ１７ａ、カラープリンタ１７ｂおよびプロジェクタ１７ｃを備えている。ディスプレイ１７ａについては水平方向に８００画素と垂直方向に６００画素の表示エリアを備えており、各画素毎に上述した１６７０万色の表示が可能となっている。この解像度は一例に過ぎず、６４０×４８０画素であったり、１０２４×７６８画素であるなど、適宜、変更可能である。
【００３７】
また、カラープリンタ１７ｂはインクジェットプリンタであり、Ｃ（シアン）Ｍ（マゼンタ）Ｙ（イエロー）Ｋ（ブラック）ｃ（ライトシアン）ｍ（ライトマゼンタ）の６色のインクを用いて、メディアたる印刷用紙上にドットを付して画像を印刷可能となっている。画像密度は３６０×３６０ｄｐｉや７２０×７２０ｄｐｉといった高密度印刷が可能となっているが、階調表現については色インクを付すか否かといった２階調表現となっている。一方、このような画像入力デバイスを使用して画像を入力しつつ、画像出力デバイスに表示あるいは出力するため、コンピュータ本体１２内では所定のプログラムが実行されることになる。そのうち、基本プログラムとして稼働しているのはオペレーティングシステム（ＯＳ）１２ａであり、このオペレーティングシステム１２ａには、ディスプレイ１７ａでの表示を行わせるディスプレイドライバ（ＤＳＰ  ＤＲＶ）１２ｂと、カラープリンタ１７ｂに印刷出力を行わせるプリンタドライバ（ＰＲＴ  ＤＲＶ）１２ｃと、プロジェクタ１７ｃでの表示を行わせるプロジェクタドライバ１２ｄ（図示せず）が組み込まれている。これらのドライバ１２ｂ、１２ｃおよび１２ｄはディスプレイ１７ａ、カラープリンタ１７ｂおよびプロジェクタ１７ｃの機種に依存しており、それぞれの機種に応じてオペレーティングシステム１２ａに対して追加変更可能である。また、機種に依存して標準処理以上の付加機能を実現することもできるようになっている。すなわち、オペレーティングシステム１２ａという標準システム上で共通化した処理体系を維持しつつ、許容される範囲内での各種の追加的処理を実現できる。
【００３８】
このようなプログラムを実行する前提として、コンピュータ本体１２は、ＣＰＵ１２ｅ、ＲＡＭ１２ｆ、ＲＯＭ１２ｇおよびＩ／Ｏ１２ｈなどを備え、演算処理を実行するＣＰＵ１２ｅがＲＡＭ１２ｆを一時的なワークエリアや設定記憶領域として使用したりプログラム領域として使用しながら、ＲＯＭ１２ｇに書き込まれた基本プログラムを適宜実行し、Ｉ／Ｏ１２ｈを介して接続されている外部機器及び内部機器などを制御している。
【００３９】
ここで、基本プログラムとしてのオペレーティングシステム１２ａ上でアプリケーション１２ｉが実行される。アプリケーション１２ｉの処理内容は様々であり、操作デバイスとしてのキーボード１５ａやマウス１５ｂの操作を監視し、操作された場合には各種の外部機器を適切に制御して対応する演算処理などを実行し、さらには、処理結果をディスプレイ１７ａに表示したり、カラープリンタ１７ｂに出力したりすることになる。
【００４０】
かかるコンピュータシステムでは、画像入力デバイスであるスキャナ１１ａなどで画像データを取得し、アプリケーション１２ｉによる所定の画像処理を実行した後、画像出力デバイスとしてのディスプレイ１７ａ、カラープリンタ１７ｂやプロジェクタ１７ｃに表示出力することが可能である。
【００４１】
本実施形態においては、参照テーブル作成手順管理装置２０をコンピュータシステムとして実現しているが、必ずしもかかるコンピュータシステムを必要とするわけではない。
【００４２】
処理制御プログラム
本発明による処理制御プログラムは、通常、コンピュータ１２が読取可能な形態でフロッピーディスク、ＣＤ−ＲＯＭなどの記録媒体に記録されて流通する。当該プログラムは、メディア読取装置（ＣＤ−ＲＯＭドライブ１３ｃ、フロッピーディスクドライブ１３ａなど）によって読み取られてハードディスク１３ｂにインストールされる。そして、ＣＰＵが所望のプログラムを適宜ハードディスク１３ｂから読み出して所望の処理を実行するように構成されている。なお、本発明による処理制御プログラム自体も本願発明の一部を構成する。
【００４３】
図２は、本発明の実施形態にかかる参照テーブル作成手順管理装置２０の構成を示す機能ブロック図である。参照テーブル作成手順管理装置２０は、作成手順記録部２０２、作業対象手順入力部２０４、作業可否判断部２０６、作業画面生成部２０８、警告画面生成部２１０、作成手順表示画面生成部２１２、完了識別情報表示画面生成部２１４、作業入力部２２０、ＬＵＴ生成部２２２、ＬＵＴ記録部２２４を備える。
【００４４】
作成手順記録部２０２は、参照テーブル（ＬＵＴ：Ｌｏｏｋ  Ｕｐ  Ｔａｂｌｅ）の作成手順ごとに対応づけて、作成手順が完了しているか否かを示す完了識別情報および作成手順よりも前に行われるべき作成手順である前手順を記録する。作成手順記録部２０２は、ＲＡＭ１２ｆまたはＲＯＭ１２ｇにより実現される。
【００４５】
ＬＵＴには、黒インクの発生の仕方を決定するＫ発生作成手順をＬＵＴ作成の際に要する基準ＬＵＴと、当該Ｋ発生作成手順をＬＵＴ作成の際に流用する派生ＬＵＴの二種類がある。基準ＬＵＴと派生ＬＵＴとのいずれを生成するかは解像度により定められる。例えば、メディアがＲＣ＿ＰＡＰＥＲ（紙の一種）であり解像度が１４４０＊７２０に対応するＬＵＴは基準ＬＵＴとし、メディアが同じくＲＣ＿ＰＡＰＥＲ（紙の一種）であり解像度が２８８０＊１４４０に対応するＬＵＴは派生ＬＵＴとする。
【００４６】
作成手順には、基準ＬＵＴを生成するために利用される基準作成手順、派生ＬＵＴを生成するために利用される派生作成手順、基準ＬＵＴの作成および派生ＬＵＴの作成の双方に共通する共通作成手順がある。また、作成手順は、実行が必須である必須手順と、実行することが任意である任意手順とに分けられる。
【００４７】
この実施形態においては、基準作成手順として、Ａ１：Ｋ発生（作成手順）、Ａ２：ＤＴ０，ＢａｓｅＬＵＴ、Ａ３：ＤＴ１，ＤＴ２測色、Ａ４：メディアプロファイル、Ａ５：ドライバＬＵＴ作成、Ａ６：モノクロを想定する。派生作成手順としては、Ｂ１：派生ＬＵＴ作成（作成手順）、Ｂ２：ドライバＬＵＴ作成、Ｂ３：モノクロを想定する。共通作成手順としては、Ｙ１：ＳＭＢ（作成手順）、Ｙ２：インク重量補正を想定する。なお、基準作成手順および派生作成手順を必須手順とし、共通作成手順を任意手順とする。
【００４８】
作成手順記録部２０２の記録内容の一例を図３に示す。図３（ａ）は基準作成手順Ａ１〜Ａ６を記録した基準作成手順記録テーブル２０２ａ、図３（ｂ）は派生作成手順Ｂ１〜Ｂ３を記録した派生作成手順記録テーブル２０２ｂ、図３（ｃ）は共通作成手順を記録する共通作成手順記録テーブル２０２ｃを示す。これらのテーブルが作成手順記録部２０２に記録されている。
【００４９】
図３（ａ）を参照して、基準作成手順Ａ１には、Ａ１の直前に行われるべき作成手順であるＹ１、Ａ１が完了しているか否かを示す完了識別情報○（完了している）が対応づけられている。なお、完了識別情報として○（完了している）、×（完了していない）を示したが、完了している場合は作業を行った者の氏名（氏のみも可であり、作業者が特定できるような情報であればよい）を記録し、完了していない場合は「未着手」と記録してもよい。基準作成手順Ａ２〜Ａ６についても同様である。
【００５０】
図３（ｂ）を参照して、派生作成手順Ｂ１には、Ｂ１の直前に行われるべき作成手順であるＡ２、Ａ１が完了しているか否かを示す完了識別情報○（完了している）が対応づけられている。派生作成手順Ｂ２、Ｂ３についても同様である。
【００５１】
図３（ｃ）を参照して、共通作成手順Ｙ１には、Ｙ１の直前に行われるべき作成手順が無い。また、Ｙ１が完了しているか否かを示す完了識別情報×（完了していない）が対応づけられている。共通作成手順Ｙ２には、Ｙ２の直前に行われるべき作成手順Ａ６およびＢ３が、Ｙ２が完了しているか否かを示す完了識別情報×（完了していない）が対応づけられている。
【００５２】
なお、図３（ａ）（ｂ）を参照すると、Ａ６（モノクロ）およびＢ１（派生ＬＵＴ作成）の前手順は共にＡ２（ＤＴ０，ＢａｓｅＬＵＴ）である。これは、ベースＬＵＴを作成しておけば、モノクロテーブルの作成も派生ＬＵＴの作成も可能であることを意味する。
【００５３】
作業対象手順入力部２０４は、作成手順の内の作業対象とする作業対象手順の入力を受ける。作成手順表示画面生成部２１２が作成した画面がディスプレイ１７ａに表示されており（図６参照）、作成手順もまたクリック可能なボタン（表示体）１７２ａとして表示される。作業対象手順入力部２０４は、マウス１５ｂで構成される。作業対象手順入力部２０４は、ボタン（表示体）１７２ａが作業者によりクリックされることを検知することにより、これから作業者が作業を行おうとする作成手順であるところの作業対象手順の入力を受ける。例えば、「Ｋ発生」というボタン１７２ａがクリックされたことを検知することにより、これから作業者が作業を行おうとする作成手順であるところの作業対象手順「Ｋ発生」の入力を受ける。
【００５４】
作業可否判断部２０６は、作成手順記録部２０２における記録内容を参照して、作業対象手順入力部２０４が受けた作業対象手順に対応付けられた前手順が完了しているか否かに基づき、作業対象手順の実行を許可するか否かを判断する。例えば、前手順が完了している場合にのみ作業対象手順の実行を許可するようにしてもよい。この場合、さらに、前手順が完了していなくても、前手順が任意手順であれば、作業対象手順の実行を許可するようにしてもよい。
【００５５】
例えば、図３（ａ）を参照して、作成手順Ａ４が作業対象手順として入力された場合、前手順Ａ３は完了していないので、作業対象手順の実行を許可しない。作成手順Ａ３が作業対象手順として入力された場合、前手順Ａ２は完了しているので、作業対象手順の実行を許可する。ここで、作成手順Ａ１は完了しているものの、作成手順Ｙ１は完了していない（図３（ｃ）参照）。しかし、作成手順Ｙ１は任意手順であるため、作成手順Ｙ１は完了していなくても作成手順Ａ１を実行できる。この場合、作成手順Ｙ１にて設定されるべきドットの大きさはデフォルト値（初期設定値）が設定されたとして以後の作成手順に使用される。
【００５６】
なお、本実施形態においては、作業対象手順が実行される直前に実行されるべき作成手順が完了しているか否かにより実行の可否を判断している。しかし、作業対象手順の実行直前のみならず、作業対象手順の実行よりも前に実行されるべき作成手順が完了しているか否かにより実行の可否を判断してもよい。例えば、作成手順Ａ３を実行するか否かを判断するためには、作成手順Ａ２およびＡ１が完了しているか否かに基づいてもよい。作成手順Ａ２およびＡ１が完了しているならば作成手順Ａ３を実行許可し、作成手順Ａ２およびＡ１のいずれか一つ以上が完了していないならば作成手順Ａ３を実行許可しない。
【００５７】
なお、作業可否判断部２０６は、アプリケーション１２ｉにより実現される。
【００５８】
作業画面生成部２０８は、作業可否判断部２０６によって実行を許可された作業対象手順の実行に使用する表示画面（作業画面）を生成する。生成された表示画面はディスプレイ１７ａにより表示される。作業画面生成部２０８は、アプリケーション１２ｉにより実現される。
【００５９】
図８は、作成手順Ａ１（Ｋ発生）の作業画面を示す図である。通常、ＣＭＹのインクを混合しただけでは充分な暗さが得られないため、暗部の色域が狭くなる。そこで、暗部では黒インクを使うことにより色域を拡大する。しかし、黒インクの使い方によっては、粒が目立つなどの好ましくない影響を及ぼす。そこで、この画面を利用して、黒インクの粒状性と色域とをなるべく両立させるようなパラメータを決定する。
【００６０】
具体的には、プリンタのインクセットが、濃いインクと薄いインクとにより構成される場合に、ボタン群３０１、３０２、３０３を操作して、インクの混ぜ方を決定する。そして、ボタン群３０４、３０５を操作して、黒インクの入り具合を決定する。さらに、ボタン群３０６を操作して、確認印刷を行う。最後に、ボタン群３０７を操作して、黒インクの入り具合を微調整する。
【００６１】
図９は、作成手順Ａ２（ＤＴ０，ＢａｓｅＬＵＴ）の作業画面を示す図である。ここでは、色の再現範囲の基礎情報を測定する。なお、ベースＬＵＴも作成する。
【００６２】
具体的には、ボタン３１１を操作して、基礎データの印刷を行う。さらに、ボタン群３１２を操作して、基礎データの印刷結果であるパッチを測色し、ＢａｓｅＬＵＴの作成を行う。最後に、ボタン３１３を操作して、正しいＢａｓｅＬＵＴが作成されたかを確認するための確認印刷を行う。
【００６３】
図１０は、作成手順Ａ３（ＤＴ１，ＤＴ２測色）の作業画面を示す図である。ここでは、作成しようとしているＬＵＴが対応すべきプリンタ、メディアおよび解像度において、どのような色域が再現できるかを測定する。これによりプロファイルの作成（Ａ４：メディアプロファイル）の際の基礎となる情報が得られる。
【００６４】
具体的には、ボタン３２１を操作して、基礎データのパッチを印刷する。そして、ボタン３２２を操作して、基礎データに基づき、パッチデータの格子点情報を計算する。さらに、ボタン３２３を操作して、ボタン３２２の操作による計算結果に基づき、パッチ画像ファイルを作成する。そして、ボタン３２４を操作して、作成したパッチ画像ファイルを印刷・測色する。最後に、ボタン３２５を操作して、測色結果に異常が無いかをチェックする。
【００６５】
図１１は、作成手順Ａ４（メディアプロファイル）の作業画面を示す図である。ここでは、作成手順Ａ３（ＤＴ１，ＤＴ２測色）において測定されたデータを基に、プロファイルを作成する。
【００６６】
具体的には、ボタン３３１を操作して、プロファイルのタグ情報を変更する。ただし、通常はデフォルトのままでよい。そして、ボタン３３２を操作して、色域圧縮のパラメータを変更する。さらに、ボタン３３３を操作して、ＤＴ１、ＤＴ２測色でのデータに基づきプロファイルを作成する。最後に、ボタン３３４を操作して、正しいプロファイルが出来ているかを確認するために確認印刷を行う。
【００６７】
図１２は、作成手順Ａ５（ドライバＬＵＴ作成）の作業画面を示す図である。ここでは、作成手順Ａ４（メディアプロファイル）において作成したプロファイルを基に、プリンタドライバで使用するための３ＤＬＵＴを作成する。
【００６８】
具体的には、ボタン群３４１を操作して、ソースプロファイルを指定する。そして、ボタン群３４２を操作して、「メディアプロファイル」にて作成したメディアごとのプロファイルを指定する。さらに、ボタン群３４３を操作して、出力ファイル名を設定する。最後に、ボタン３４４を操作して、３ＤＬＵＴを作成する。
【００６９】
図１３は、作成手順Ａ６（モノクロ）の作業画面を示す図である。ここでは、モノクロテーブルを作成する。モノクロテーブルとは、黒（Ｋ）インクのみのＬＵＴである。
【００７０】
具体的には、ボタン３５１を操作して、モノクロテーブルの値を初期化してデフォルト値にする。そして、ボタン３５２を操作して、モノクロテーブルを作成するための基礎データを印刷する。さらに、ボタン３５３を操作して、ボタン３５２の操作の際に用いたデータに基づき、所定のガンマに載る様にモノクロテーブルを作成する。最後に、さらに調整が必要な場合は、ボタン群３５４を操作して、画像を印刷しながら微調整を行う。
【００７１】
図１４は、作成手順Ｂ１（派生ＬＵＴ作成）の作業画面を示す図である。作業内容は、ＤＴ０、ＤＴ１，ＤＴ２および派生調整に分かれる（図６参照）。ＤＴ０は作成手順Ａ２（ＤＴ０，ＢａｓｅＬＵＴ）と同様である。ＤＴ１，ＤＴ２は、作成手順Ａ３（ＤＴ１，ＤＴ２測色）と同様である。派生調整は、肌色等の色味およびグラデーションを調整する。ここで、Ｋ発生は行わず、作成手順Ａ１の設定内容を流用することが特徴である。
【００７２】
具体的には、ボタン３６１を操作して、Ｋ発生の替わりに解像度間の特性データを測色する。そして、ボタン３６２を操作して、基準のＤＴ０に相当するデータを印刷・測色する。さらに、ボタン３６３を操作して、基準の「ＤＴ１、ＤＴ２」と同じ手順により、基礎データを得る。最後に、ボタン３６４を操作して、基準の「ドライバＬＵＴ作成」と同様に、基礎データに基づき３ＤＬＵＴを作成する。
【００７３】
作成手順Ｂ２（ドライバＬＵＴ作成）およびその作業画面は作成手順Ａ５（ドライバＬＵＴ作成）およびその作業画面と同様である。作成手順Ｂ３（モノクロ）およびその作業画面は作成手順Ａ６（モノクロ）およびその作業画面と同様である。
【００７４】
警告画面生成部２１０は、作業可否判断部２０６によって実行を許可されなかった場合に作業者に対して警告する表示画面（警告画面）を生成する。生成された表示画面はディスプレイ１７ａにより表示される。例えば、「この作業は行えません」などといったメッセージを表示するウィンドウを生成するようにすればよい。警告画面生成部２１０は、アプリケーション１２ｉにより実現される。
【００７５】
作成手順表示画面生成部２１２は、作成手順を前手順がわかるようにして表示した表示画面を生成する。生成された表示画面はディスプレイ１７ａにより表示される。具体的には、作成手順の表示体（ボタン１７２ａ：図６参照）を前手順の表示体（ボタン１７２ａ：図６参照）と矢印で結合して表示した表示画面を生成する。この場合、矢印は、前手順から作成手順に向かうものとする。図６を参照して、作成手順Ａ３（ＤＴ１，ＤＴ２測色）の表示体である「ＤＴ１，ＤＴ２測色」と表示されたボタンは、作成手順Ａ３の前手順である作成手順Ａ２（ＤＴ０，ＢａｓｅＬＵＴ）の表示体である「ＤＴ０，ＢａｓｅＬＵＴ」と表示されたボタンと矢印で結合されている。この矢印は、「ＤＴ０，ＢａｓｅＬＵＴ」と表示されたボタンから「ＤＴ１，ＤＴ２測色」と表示されたボタンに向かっている。
【００７６】
ここで、作成手順表示画面生成部２１２は、作成手順の内で実行することが任意である任意手順の表示体（ボタン１７２ａ）を、作成手順の内の実行が必須である必須手順の表示体（ボタン１７２ａ）とは結合した表示を行わない、例えば、図６を参照して、作成手順Ａ１（Ｋ発生）の表示体である「Ｋ発生」と表示されたボタンは、作成手順Ａ１の前手順である作成手順Ｙ１（ＳＭＢ）の表示体である「ＳＭＢ」と表示されたボタンと結合されていない。矢印で結合すると、あたかも作成手順Ｙ１（ＳＭＢ）を作成手順Ａ１（Ｋ発生）の前に行わなければならないように見えてしまう。しかし、結合していないので、作成手順Ｙ１（ＳＭＢ）を実行することが任意であることがわかりやすい。
【００７７】
なお、作成手順表示画面生成部２１２は、基準作成手順Ａ１〜Ａ６の表示体を左側の列に、派生作成手順Ｂ１〜Ｂ３の表示体を右側の列に、共通作成手順Ｙ１、Ｙ２の表示体を左右の列の間に配置している。これにより、作成手順が、基準作成手順、派生作成手順および共通作成手順のいずれであるかがわかりやすい。なお、基準作成手順、派生作成手順および共通作成手順ごとに列を変えて表示するかわりに、行を変えて表示するようにしてもよい。
【００７８】
作成手順表示画面生成部２１２は、アプリケーション１２ｉにより実現される。
【００７９】
完了識別情報表示画面生成部２１４は、作成手順の完了識別情報が表示された表示画面を生成する。生成された表示画面はディスプレイ１７ａにより表示される。図６を参照して説明すると、完了している作成手順Ａ１（Ｋ発生）については、完了識別情報の表示欄１７２ｈには作業者の氏名「○田×郎」（完了している）（氏のみも可）が、作成手順Ａ３（ＤＴ１，ＤＴ２測色）ついては、完了識別情報の表示欄１７２ｈには「未着手」（完了していない）が表示されている。なお、通常は、完了識別情報の表示欄１７２ｈは各作成手順の表示体（ボタン１７２ａ）の右脇に表示されている。しかし、作成手順の表示体の下にサブ手順表示欄１７２ｉが設けられている場合は、サブ手順表示欄１７２ｉの右脇に完了識別情報の表示欄１７２ｈを表示する。なお、サブ手順表示欄１７２ｉとは、作成手順をさらに細分化したものである。例えば、派生作成手順Ｂ１（派生ＬＵＴ作成）は、前述の通り、ＤＴ０、ＤＴ１，ＤＴ２および派生調整に分かれるので、それぞれをサブ手順表示欄１７２ｉに示す。
【００８０】
完了識別情報表示画面生成部２１４は、アプリケーション１２ｉにより実現される。
【００８１】
作業入力部２２０は、作業画面生成部２０８が生成する作業画面を利用して作業者が行う作業を受ける。例えば、作業者が指定するファイルやパラメータを受ける。作業入力部２２０は、キーボード１５ａおよびマウス１５ｂにより構成される。また、作業入力部２２０は、各作成手順あるいはサブ手順表示欄に表示されたサブ手順が完了すると作業者の氏または氏名などの、作業者が特定できるような情報の入力を受ける。
【００８２】
ＬＵＴ生成部２２２は、作業入力部２２０が受けた作業内容を基にＬＵＴを生成する。このとき、ＬＵＴ記録部２２４に記録されたデータ、例えばドットサイズのデフォルト値を読み出して利用する。ＬＵＴ生成部２２２は、アプリケーション１２ｉにより実現される。
【００８３】
ＬＵＴ記録部２２４は、ＬＵＴ生成部２２２により生成されたＬＵＴを記録する。ＬＵＴ記録部２２４は、ＲＡＭ１２ｆまたはＲＯＭ１２ｇにより実現される。
【００８４】
次に、本発明の実施形態の動作を説明する。
【００８５】
まず、作成手順表示画面生成部２１２が作成手順記録部２０２の記録内容に基づき作成手順を前手順がわかるようにして表示した表示画面を生成する。作成手順表示画面生成部２１２による表示画面の生成の手順を図４のフローチャートを参照して説明する。
【００８６】
まず、作成手順表示画面生成部２１２は、作成手順記録部２０２の記録内容において、最初とされている作成手順を検索する（Ｓ１０）。最初とされている作成手順は前手順が無いものであり、図３の例でいえば、作成手順Ｙ１が相当する（図３（ｃ）参照）。
【００８７】
次に、検索された作成手順の種類を判定する（Ｓ１２）。検索された作成手順が、基準作成手順であれば（Ｓ１２、基準）、作成手順の表示体を左列に表示する（Ｓ１４ａ）。検索された作成手順が、派生作成手順であれば（Ｓ１２、派生）、作成手順の表示体を右列に表示する（Ｓ１４ｂ）。検索された作成手順が、共通作成手順であれば（Ｓ１２、共通）、作成手順の表示体を左列および右列の列間に表示する（Ｓ１４ｃ）。
【００８８】
次に、作成手順表示画面生成部２１２は、検索された作成手順が前手順が無いもの、あるいは、前手順が任意手順であるものか否かを判定する（Ｓ１６）。検索された作成手順が前手順が有るもの、かつ、前手順が任意手順ではないもの（Ｓ１６、Ｎｏ）であれば、かかる前手順の表示体と、作成手順の表示体とを矢印で結合する（Ｓ１８）。そして、作成手順表示画面生成部２１２は、作成手順記録部２０２の記録内容において、次の作成手順を検索する（Ｓ２０）。具体的には、現時点で表示した作成手順を前手順としている作成手順を検索する。次の作成手順があれば（Ｓ２０、Ｙｅｓ）、検索された作成手順の種類判定（Ｓ１２）に戻り、次の作成手順が無ければ（Ｓ２０、Ｎｏ）、処理を終了する。なお、検索された作成手順が前手順が無いもの、あるいは、前手順が任意手順であるもの（Ｓ１６、Ｙｅｓ）であれば、次の作成手順の検索（Ｓ２０）に進む。
【００８９】
図３〜５を参照して、作成手順表示画面生成部２１２の動作例を説明する。まず、図３（ｃ）を参照すると、最初の作成手順はＹ１であることがわかる（Ｓ１０）。Ｙ１は共通作成手順なので（Ｓ１２、共通）、Ｙ１の表示体（ボタン１７２ａ）を左列および右列の列間に表示する（Ｓ１４ｃ）。このときの表示例を図５（ａ）に示す。Ｙ１は最初の作成手順なので（Ｓ１６、Ｙｅｓ）、次の作成手順が検索される（Ｓ２０）。
【００９０】
Ｙ１の次の作成手順はＡ１である（Ｓ２０、Ｙｅｓ）（図３（ａ）参照）。Ａ１は基準作成手順なので（Ｓ１２、基準）、Ａ１の表示体（ボタン１７２ａ）を左列に表示する（Ｓ１４ａ）。このときの表示例を図５（ｂ）に示す。Ａ１の前手順であるＹ１は任意手順なので（Ｓ１６、Ｙｅｓ）、次の作成手順が検索される（Ｓ２０）。
【００９１】
Ａ１の次の作成手順はＡ２である（Ｓ２０、Ｙｅｓ）（図３（ａ）参照）。Ａ２は基準作成手順なので（Ｓ１２、基準）、Ａ２の表示体（ボタン１７２ａ）を左列に表示する（Ｓ１４ａ）。このときの表示例を図５（ｃ）に示す。Ａ２の前手順であるＡ１は任意手順ではないので（Ｓ１６、Ｎｏ）、Ａ２の表示体（ボタン１７２ａ）とＡ１の表示体（ボタン１７２ａ）とを矢印１７２ｂで結合する（Ｓ１８）。矢印１７２ｂは、前手順から作成手順に向かう。そして、次の作成手順が検索される（Ｓ２０）。
【００９２】
このようにして、図３に示すような記録内容に基づき、作成手順を表示すると、図５（ｄ）に示すような表示例になる。
【００９３】
そして、完了識別情報表示画面生成部２１４が作成手順記録部２０２の記録内容に基づき作成手順の完了識別情報が表示された表示画面を生成する。
【００９４】
結局、表示画面は図６に示すようなものとなる。図６は、ディスプレイ１７ａに表示されたウィンドウを示している。
【００９５】
ボタン１７２ａおよび矢印１７２ｂは図５で説明しように表示されている。また、画面（ウィンドウ）の上部には、どの機種（プリンタ等の）に対応したＬＵＴを作成するかを指定するための機種指定欄１７２ｃが配置されている。また、ボタン１７２ａが表示されている左右の列の上部に基準パラメータファイル選択欄１７２ｄ、派生パラメータファイル選択欄１７２ｅが配置されている。これらの欄により、調整パラメータの情報が記録されているパラメータファイルを選択できる。また、基準パラメータファイル選択欄１７２ｄの直下には用紙種類・解像度表示欄１７２ｆ、派生パラメータファイル選択欄１７２ｅの直下には用紙種類・解像度表示欄１７２ｇが配置されている。これらは、それぞれ、基準パラメータファイルおよび派生パラメータファイルが対応する用紙種類および解像度を表示している。例えば、用紙種類・解像度表示欄１７２ｆは用紙種類（ＲＣ＿ＰＡＰＥＲ）および解像度（１４４０＊７２０）を示し、用紙種類・解像度表示欄１７２ｇは用紙種類（ＲＣ＿ＰＡＰＥＲ）および解像度（２８８０＊１４４０）を示す。
【００９６】
図６に示すような表示画面を使用してＬＵＴ作成の作業が行われる。ＬＵＴ作成の作業の工程の流れを図７のフローチャートを参照して説明する。
【００９７】
まず、作業者がボタン１７２ａをクリックすることにより作業対象手順を入力する（Ｓ３０）。入力内容は作業対象手順入力部２０４により受け付けられ、作業可否判断部２０６に送られる。作業可否判断部２０６は、入力された作業対象手順の前手順が完了している否かを作成手順記録部２０２の記録内容に基づき判断する（Ｓ３２）。前手順が完了していなければ（Ｓ３２、Ｎｏ）、前手順が任意手順であるか否かを判断する（Ｓ３４）。前手順が任意手順ではない、すなわち必須手順であるならば（Ｓ３４、Ｎｏ）、作業可否判断部２０６は入力された作業を許可しない（Ｓ５０）。そして、警告画面生成部２１０が、作業者に対して警告する表示画面（警告画面）を生成する。生成された表示画面はディスプレイ１７ａにより表示される（Ｓ５２）。そして、作業対象手順の入力（Ｓ３０）に戻る。
【００９８】
前手順が完了している（Ｓ３２、Ｙｅｓ）、あるいは、前手順が任意手順である（Ｓ３４、Ｙｅｓ）ならば、作業可否判断部２０６は入力された作業を許可する（Ｓ４０）。そして、作業対象手順の実行に使用する表示画面（作業画面）を生成する。生成された表示画面はディスプレイ１７ａにより表示される（Ｓ４２）。この表示画面を使用して作業が行われる（Ｓ４４）。具体的には、作業入力部２２０が、作業画面生成部２０８により生成された作業画面を利用して作業者が行う作業を受ける。例えば、作業者が指定するファイルやパラメータを受ける。ＬＵＴ生成部２２２は、作業入力部２２０が受けた作業内容を基に（もし、任意手順が実行される前に作業がなされれば任意手順におけるデフォルト値をも基に）ＬＵＴを生成する。ＬＵＴ生成部２２２により生成されたＬＵＴを記録する。作業が終わると、作業者の氏名等の入力がなされる（Ｓ４６）。作業者の氏名等は、作成手順記録部２０２に送られ、完了識別情報として記録される。そして、処理を終了する。
【００９９】
本発明の実施形態によれば、作業対象手順の入力を受けると、それよりも前に行われるべき前手順が完了しているか否かに基づき、作業対象手順の実行を許可するか否かを判断するため、ＬＵＴの作成における工程の順序関係の錯誤を防止できる。
【図面の簡単な説明】
【図１】参照テーブル作成手順管理装置２０を実現するハードウェアの一例であるコンピュータシステムのブロック図である。
【図２】本発明の実施形態にかかる参照テーブル作成手順管理装置２０の構成を示す機能ブロック図である。
【図３】作成手順記録部２０２の記録内容の一例を示す図であり、基準作成手順記録テーブル２０２ａ（図３（ａ））、派生作成手順記録テーブル２０２ｂ（図３（ｂ））、共通作成手順記録テーブル２０２ｃ（図３（ｃ））を示す。
【図４】作成手順表示画面生成部２１２による表示画面の生成の手順を示すフローチャートである。
【図５】作成手順表示画面生成部２１２の動作例を示す図である。
【図６】作成手順表示画面生成部２１２および完了識別情報表示画面生成部２１４により生成される表示画面の一例を示す図である。
【図７】ＬＵＴ作成の作業の工程の流れをを示すフローチャートである。
【図８】作成手順Ａ１（Ｋ発生）の作業画面を示す図である。
【図９】作成手順Ａ２（ＤＴ０，ＢａｓｅＬＵＴ）の作業画面を示す図である。
【図１０】作成手順Ａ３（ＤＴ１，ＤＴ２測色）の作業画面を示す図である。
【図１１】作成手順Ａ４（メディアプロファイル）の作業画面を示す図である。
【図１２】作成手順Ａ５（ドライバＬＵＴ作成）の作業画面を示す図である。
【図１３】作成手順Ａ６（モノクロ）の作業画面を示す図である。
【図１４】作成手順Ｂ１（派生ＬＵＴ作成）の作業画面を示す図である。
【符号の説明】
２０  参照テーブル作成手順管理装置
２０２  作成手順記録部
２０４  作業対象手順入力部
２０６  作業可否判断部
２０８  作業画面生成部
２１０  警告画面生成部
２１２  作成手順表示画面生成部
２１４  完了識別情報表示画面生成部
２２０  作業入力部
２２２  ＬＵＴ生成部
２２４  ＬＵＴ記録部
【図１】
2004179869.tif 000003
【図２】
2004179869.tif 000004
【図３】
2004179869.tif 000005
【図４】
2004179869.tif 000006
【図５】
2004179869.tif 000007
【図６】
2004179869.tif 000008
【図７】
2004179869.tif 000009
【図８】
2004179869.tif 000010
【図９】
2004179869.tif 000011
【図１０】
2004179869.tif 000012
【図１１】
2004179869.tif 000013
【図１２】
2004179869.tif 000014
【図１３】
2004179869.tif 000015
【図１４】
2004179869.tif 000016